(57)【要約】  【課題】      従来のマイクロフォンの位置決め、すなわちモニタによる検査室状況および検査画像の監視、装置本体制御のために術者の腕部および手指部の精細な動きを介して行われる操作卓上のスイッチ等の操作、ならびに検査室内の被検者への遠隔指示のための術者音声の集音の３種類を勘案して妥協的に行われていた位置決めによって発生する、モニタ監視および操作卓操作時の術者視野の阻害、術者とマイクロフォンの接触等による術者操作作業の自由度の阻害、ならびに集音効果の不安定を改善し、また装置の製造コストを低減する。  【解決手段】  モニタ７Ｎのエスカーション９の正面上部の内部にマイクロフォン素子８Ｎを埋め込んで固定し、モニタ７Ｎに正対している術者の音声をマイクロフォン素子８Ｎによって取得する。【選択図】          図１
0003136951.tif 000002
【実用新案登録請求の範囲】
【請求項１】
Ｘ線透視撮影の画像をモニタに表示しつつ被検者に音声にて指示して撮影を進める画像診断装置において、モニタの筐体に音声指示するためのマイクロフォンを埋設したことを特徴とする画像診断装置。
【請求項２】
マイクロフォンの埋め込み位置をモニタ正面上部としたことを特徴とする請求項１記載の画像診断装置。
【請求項３】
複数個のマイクロフォンが小型マイクロフォンであることを特徴とする請求項１または請求項２記載の画像診断装置。
【考案の詳細な説明】
【技術分野】
【０００１】
本考案は被検者の身体情報を画像化し医療診断を行う画像診断装置に関する。
【背景技術】
【０００２】
遠隔操作型の画像診断装置（以下、原則として装置と称す）では、一般に検査室と操作室が分離して設けられており、被検者の身体の診断画像は、操作室のモニタに表示される。
【０００３】
術者は被検者を観察しつつ、検査室の装置本体の遠隔制御および被検者への遠隔指示を行い、また画像の撮影を行う。被検者への遠隔指示にはたとえばインターフォン形式の相互通信機器などが使用され、術者はモニタ画像を見ながら操作室の操作卓近傍に設置されたマイクロフォンに向かって被検者への指示を行う（たとえば特許文献１参照）。なおモニタ位置は通常、術者の頭部の正面、且つ眼球の高さから見てやや下方に選ばれることが多い。
【０００４】
以下、図３に示すＸ線画像診断装置を例として、従来の装置の構成と作動を説明する。検査室１内には装置本体２が設置されている。被検者３は装置本体２に設けられたベッド上に横臥し、検査室１とはＸ線遮蔽壁（図示せず）を介して設けられている操作室４内の術者５の指示により、体位の変更など必要な撮像準備を行う。
【０００５】
検査室１の状況および被検者３からの音声は検査室１内のＴＶカメラ（図示せず）およびマイクロフォン（図示せず）を介して操作室４に伝達される。術者５は操作室４内で、操作卓６上方のモニタ７を監視しながら操作卓６上のキーボード、操作レバー、押しボタンスイッチ等（以下、スイッチ等と称す）を操作し、検査室１の装置本体２の作動を遠隔制御し、また可撓性のアームを持つマイク台Ｓを介して操作卓６上に設置されたマイクロフォン８の位置を調整しながら被検者３と必要な会話を行い、たとえば被検者３の体位変更などの遠隔指示を行う。
【０００６】
マイクロフォン８で集音された術者５の音声は検査室１のスピーカ（図示せず）で被検者３に伝達される。装置本体２の制御および被検者３への遠隔指示が完了し画像撮影条件が満足されたことが確認された後、術者５は操作卓６上のスイッチ等の操作により、装置本体２上部のＸ線管（図示せず）からＸ線を被検者に照射し、画像撮影を行う。
【０００７】
【特許文献１】特開２００６−０５５４３３号公報
【考案の開示】
【考案が解決しようとする課題】
【０００８】
従来の画像診断装置の構造は以上のとおりであるが、この構造ではモニタの監視、操作卓上のスイッチ等の操作による装置本体の制御、およびマイクロフォンによる集音の３種類の作業等の全部を同時に最適化することが困難であり、また装置の製造コストが増大する。すなわち、術者はモニタの画面に正対して画面を注視し、必要に応じて操作卓上のスイッチ等に目を移し、腕および手指の精細な動きによって操作卓上の複数のスイッチ等を操作しながら被検者との会話を行う必要があるため、もしも集音効果を優先してマイクロフォンの位置をモニタ正面付近に固定した場合は、モニタ監視および操作卓上の操作の際の術者の視野はマイクロフォンによって阻害され、また腕または手指がマイクロフォンおよびその支持部材と接触するか、術者が接触を意識しながら操作を行うため、操作作業の自由度が妨害される。
【０００９】
したがって従来の装置では前記の図３に示すように、可撓性のアームを持つマイク台Ｓ上にマイクロフォン８を配設するとともにマイク台Ｓを操作卓６の左または右横面上に配設して、マイクロフォン８の位置が術者５とモニタ７の中間の比較的適切な位置に挿入されるように、現場において術者５自身による臨機の調整が行われている。しかしこの方法はモニタ７の監視および操作卓６上の操作を勘案した妥協的な方法であり、常に集音効果を優先した位置決定をすることは困難である。
【００１０】
またマイクロフォン８の位置変更を頻度を高く行わないと、操作中の術者５の立ち位置の変更などに依存して集音効果が不規則に変化する。さらに前記のモニタ７の監視時および操作卓６上の操作時の視野の阻害、腕および手指のマイクロフォンおよびその支持部材との接触等による術者５の操作作業の自由度の妨害についても基本的には改善されていない。また可撓性のアームを持つマイク台Ｓおよびマイクロフォン８によって製造コストが増大している。
【００１１】
視野の阻害および操作作業の自由度の妨害を軽減する他のマイクロフォンの配置方法として、たとえば操作卓面上へのマイクロフォンの固定、マイクロフォンのモニタ部分からの支持、術者頭部へのマイクロフォンの装着なども考えられるが、操作卓面上への固定を行った場合は術者の顔の正面付近にマイクロフォンを配置することができないので常に集音効果を損ないながらの通話が行われることになる。
【００１２】
またモニタ部分からの支持を行った場合は、モニタ支持部材にマイクロフォンの重量を支持するための強度補強およびマイクロフォンの取り付けのための構造付加が必要になり、モニタ部分の構造が複雑化し製造コストが増加する。さらに術者頭部へのマイクロフォンの装着を行った場合は他の方法と比較して、術者にマイクロフォンの取り付け・取り外し、操作作業中の常時装着等の余分の負荷を与え、術者の装着状態に依存して集音効果が変化する。また装着用機材により製造コストも増大する。
【００１３】
したがって、従来の装置においてはどの構造においても、モニタの監視、操作卓上のスイッチ等の操作による装置本体の制御、およびマイクロフォンによる集音の３種類の作業等の全部を同時に最適化することは困難であり、また操作卓へのマイクロフォンの埋め込み方式を除いては、マイクロフォンの取り付け構造の付加による製造コストの増大がある。本考案はこのような問題点を解決する手段を提供することを目的とする。
【課題を解決するための手段】
【００１４】
本考案が提供する画像診断装置は上記課題を解決するために、Ｘ線透視撮影の画像をモニタに表示しつつ被検者に音声にて指示して撮影を進める画像診断装置において、モニタの筐体に音声指示するためのマイクロフォンを埋設する。またマイクロフォンの埋め込み位置をモニタ正面上部とする。また複数個のマイクロフォンを小型マイクロフォンとする。
【考案の効果】
【００１５】
本考案によれば、マイクロフォン素子をモニタ筐体中に埋め込むことにより、術者がマイクロフォンの存在を意識することなく、したがってモニタ監視および操作作業の自由度が阻害されることなく、モニタに正対する術者の発声を有効に集音することが可能になる。術者の頭部は作業中は基本的に常時モニタに正対しているので、術者の立ち位置等が変化してもマイクロフォン素子の向きを変える必要はなく、常に信号対雑音比の良好な集音効果を得ることが可能である。
【００１６】
また可撓性のマイクロフォン支持構造や、モニタの強度補強およびモニタへのマイクロフォンの支持構造の付加や、術者頭部へのマイクロフォンの装着構造などが不必要になり、集音センサであるマイクロフォン素子のみがモニタに埋め込まれるので、装置の製造コストが低減化される。
【考案を実施するための最良の形態】
【００１７】
本考案が提供する画像診断装置はつぎのような特徴を有している。第１の特徴はＸ線透視撮影の画像をモニタに表示しつつ被検者に音声にて指示して撮影を進める画像診断装置において、モニタの筐体に音声指示するためのマイクロフォンを埋設した点である。第２の特徴はマイクロフォンの埋め込み位置をモニタ正面上部とした点である。第３の特徴は複数個のマイクロフォンを小型マイクロフォンとした点であり、これらの特徴を備えた形態が最良の形態である。
【００１８】
以下図示例にしたがって説明する。図１は本考案の実施例である。モニタ７Ｎのエスカーション９の正面上部の内部には小型軽量且つ低価格のマイクロフォン素子８Ｎが埋め込まれており、マイクロフォン素子８Ｎによってモニタ７Ｎに正対している術者５（図３参照）の音声が取得される。したがってモニタ７Ｎと術者５間の空間にはマイクロフォン８（図３参照）は介在しない。マイクロフォン素子８Ｎとしてはたとえばコンデンサマイクロフォンを使用する。また埋め込み箇所の前面にはエスカーション９に集音用の開口を設ける。
【００１９】
マイクロフォン素子８Ｎからのリード線（図示せず）はモニタ７Ｎの裏面等に設けられた端子（図示せず）に導かれ、適切な音声増幅器を介して検査室１（図３参照）に術者５の音声を伝達する。なお、モニタの垂直方向の位置は前記のように術者５の眼球の高さから見てやや下方に選ばれることが多いので、マイクロフォン素子８Ｎの埋め込み位置は通常、図１のようにエスカーション９の上縁部中央とすることが適切である。
【００２０】
本考案は上記の実施例に限定されるものではなく、さらに種々の変形実施例を挙げることができる。たとえば上記の実施例においてマイクロフォン素子８Ｎと前記音声増幅器を一括してモニタ７Ｎに組み込んでも良い。エスカーション９の前面に設けた集音用の開口の形状は１個の円孔には限定されない。たとえば複数の細孔であってもよく、開口の形状は円以外の形状であっても良い。
【００２１】
また図２に示すように複数のマイクロフォン素子８Ｎをモニタ７Ｐに埋め込んでもよく、この場合は図１の実施例に比較してさらに良好な集音効果を得ることができ、ステレオ音響により明瞭度および信号対雑音比をさらに向上した音声信号を検査室１（図３参照）に提供することができる。図２には３個のマイクロフォン素子８Ｎが示されているが、個数は３個に限定されるわけではなく、埋め込みの位置も任意である。
【００２２】
画像診断装置によっては、モニタを制御卓と一体化して設置したものや制御卓とは独立した壁面等に設置したものがあり、また検査室の監視精度の向上や複数の監視項目または検査画像などの同時表示のために、操作室に複数個のモニタを設置したものもあるが、このような場合にもモニタの一部または全部に対して本考案が適用できることは自明である。本考案は上記の変形実施例をすべて包含する。
【産業上の利用可能性】
【００２３】
本考案は被検者の体内情報を画像化し医療診断を行う遠隔操作型の画像診断装置および、モニタを監視しながらモニタ近傍のマイクロフォンを介して操作者が装置の利用者に遠隔指示を与える構造の装置に適用することができる。
【図面の簡単な説明】
【００２４】
【図１】本考案の実施例の構成図である。
【図２】本考案の変形実施例の構成図である。
【図３】従来の画像診断装置の構成図である。
【符号の説明】
【００２５】
１  検査室
２  装置本体
３  被検者
４  操作室
５  術者
６  操作卓
７  モニタ
７Ｎ  モニタ
７Ｐ  モニタ
８  マイクロフォン
８Ｎ  マイクロフォン素子
９  エスカーション
Ｓ  マイク台
【図１】
0003136951.tif 000003
【図２】
0003136951.tif 000004
【図３】
0003136951.tif 000005